(57)【要約】【課題】隙間や開口部を塞ぐコストや手間がかからず、誤報をより確実に防ぐことのできる防虫対策を備えた、防犯機器を提供する。【解決手段】センサ本体４とセンサカバー５との間に、防虫剤７を保持するため、一枚の可撓性樹脂板を折り曲げてなり、センサ本体４に貼り付けられる矩形の部分である基部６１とこの基部６１から折り返して斜めに延びる斜面部６２とこの斜面部６２の両端から折り返して斜面部の内側方向へ向かう一対の爪部６３ａ，６３ｂとからなる防虫剤保持器６を備えたパッシブセンサ１を構成する。【選択図】図１
2010033200.tif 000002
【特許請求の範囲】
【請求項１】
侵入者を検知する防犯機器であって、センサ本体とセンサカバーとの間に、防虫剤を保持する防虫剤保持器を備えたことを特徴とする、防犯機器。
【請求項２】
前記防虫剤保持器は、一枚の可撓性樹脂板を折り曲げてなることを特徴とする、請求項１に記載の防犯機器。
【請求項３】
前記防虫剤保持器は、前記センサ本体に貼り付けられる矩形の部分である基部と、この基部から折り返して斜めに延びる斜面部と、この斜面部の両端から折り返して斜面部の内側方向へ向かう一対の爪部とからなることを特徴とする、請求項２に記載の防犯機器。
【請求項４】
前記防虫剤保持器は、前記基部と前記斜面部との接合部分が前記センサ本体の外縁側に向かうように前記センサ本体に取り付けられ、前記斜面部は、前記センサ本体の内側方向へ傾いていることを特徴とする、請求３に記載の防犯機器。
【請求項５】
前記防虫剤保持器は、斜面部が全体として略五角形状となっていることを特徴とする、請求項４に記載の防犯機器。
【請求項６】
前記斜面部の頂点は、前記センサ本体においてミラー部の両端を挟むように設けられた側板部にほぼ接するように位置することを特徴とする、請求項５に記載の防犯機器。
【発明の詳細な説明】
【技術分野】
【０００１】
この発明は、侵入者を検知する防犯機器に関する。
【背景技術】
【０００２】
侵入者を検知する防犯機器として、受動型赤外線センサ、能動型赤外線センサ、ドップラー式超音波センサ、またはドップラー式マイクロ波センサなどが用いられている。このうち特に、受動型赤外線センサ(PIR, Passive Infrared Sensor)がローコストであるため、多く利用されている。このタイプのセンサなどは赤外線の変化量を検知するため、近くを蛾等の虫が飛んだ場合等、虫により検知視野の一部が遮られると入射赤外線エネルギー量が変化して移動体を検知したことを示す信号を発し、すなわち侵入検知として警報を発してしまい、誤報が発生する場合がある。
【０００３】
一方、蛾・ゴキブリ・アリ等の虫は特定の温度環境に集まる熱誘引の習性があり、ゴキブリがセンサのカバー表面を這う場合もある。また外敵や風雨から身を守るなどのために、狭く囲まれた場所に営巣しようと行動するため防犯機器内に入り込んだり、場合によっては防犯機器内に営巣することがある。
【０００４】
このように、虫が防犯機器内に侵入すると、上述のように誤報が発生するほか、汚れや腐食等が起こり、誤動作や故障を起こす場合がある。虫が営巣したような場合には、放熱が悪くなることにより発熱や回路のショートなどの故障も生じる。
【０００５】
このような問題に対し、従来は、防犯機器内に虫が入り込まないようケースの隙間にゴムやスポンジ等のパッキンを取り付けるなどの防虫対策を行っていた。また、虫が防犯機器の表面を虫が移動することに対しては、表面を滑らかにし、できるだけ虫の足が滑り、吸着できないようにするなどの対策を取っていた。
【発明の開示】
【発明が解決しようとする課題】
【０００６】
しかしながら、防犯機器のケースの隙間にゴムやスポンジ等のパッキンを取り付けることは、設置場所での作業が必要であり、また機器の交換や点検作業をする際に、ゴムやスポンジ等のパッキンを除去しなければならないなど、コストと手間を要する。また、防犯機器に、放熱のためケースの一部に通風穴としての開口部を設けなければならない場合には、防虫のために穴を塞ぐことができない。
【０００７】
さらに、機器の配線孔としての開口部は、設置工事性を良くするためにある程度開口面積を大きくする必要があり、防虫の観点とは相反するものであった。特に配線孔は天井に面するため、ここにゴムやスポンジ等のパッキンを設置するとすれば、多大なコストと手間を要する。
【０００８】
本発明は、上記問題点に鑑みてなされたものであり、隙間や開口部を塞ぐコストや手間がかからず、誤報をより確実に防ぐことのできる防虫対策を備えた、防犯機器を提供することを目的とする。
【課題を解決するための手段】
【０００９】
上記目的を達成するため、本発明の防犯機器は、センサ本体とセンサカバーとの間に、防虫剤を保持する防虫剤保持器を備えたことを特徴とする。
【００１０】
防虫剤保持器は、一枚の可撓性樹脂板を折り曲げてなることが望ましい。
【００１１】
防虫剤保持器は、センサ本体に貼り付けられる矩形の部分である基部と、この基部から折り返して斜めに延びる斜面部と、この斜面部の両端から折り返して斜面部の内側方向へ向かう一対の爪部とからなってもよい。
【００１２】
その場合、防虫剤保持器は、基部と斜面部との接合部分がセンサ本体の外縁側に向かうようにセンサ本体に取り付けられ、斜面部は、センサ本体の内側方向へ傾いていることが望ましい。
【００１３】
その場合、防虫剤保持器は、斜面部が全体として略五角形状となっていることが望ましい。
【００１４】
また、斜面部の頂点は、センサ本体においてミラー部の両端を挟むように設けられた側板部にほぼ接するように位置することが望ましい。
【発明の効果】
【００１５】
本発明の防犯機器によれば、防虫剤の害虫忌避効果により、防犯機器に入り込もうとする虫や防犯機器の周囲に寄ろうとする虫に対して忌避効果を発揮することができるから、隙間や開口部を塞ぐ手間やコストがかからず、誤報をより確実に防ぐことができる。また、市販の防虫剤を使用することができるから、防虫剤をシートに練り込む等の特殊な技術や手間を必要としない。
【００１６】
防虫剤保持器が一枚の透明な可撓性樹脂板を折り曲げてなる場合は、構造をシンプルにでき、低コストで防虫剤保持器を作製できると共に、防虫剤保持器を後付けすることができる。
【００１７】
防虫剤保持器が、センサ本体に貼り付けられる矩形の部分である基部と、この基部から折り返して斜めに延びる斜面部と、この斜面部の両端から折り返して斜面部の内側方向へ向かう一対の爪部とからなる場合には、爪部の折り返しにより防虫剤を保持することができる。
【００１８】
防虫剤保持器が、基部と斜面部との接合部分がセンサ本体の外縁側に向かうようにセンサ本体に取り付けられ、斜面部がセンサ本体の内側方向へ傾いている場合には、センサカバーを閉めた際にも防虫剤保持器がセンサカバーに干渉しない。
【００１９】
防虫剤保持器の斜面部が全体として略五角形状となっている場合には、特に斜面部が半球状のセンサカバーの内面に干渉しない。
【００２０】
斜面部の頂点が、センサ本体においてミラー部の両端を挟むように設けられた側板部にほぼ接するように位置する場合には、爪部の保持力が弱いような場合であっても、斜面部と側板部との間を防虫剤が通過することがなく、防虫剤が滑り落ちることがない。
【発明を実施するための最良の形態】
【００２１】
以下、本発明の好ましい実施の形態を、添付図面を参照しながら詳細に説明する。図１から図３は、本発明の実施形態の防犯機器を示す。
パッシブセンサ１は、本実施形態の防犯機器であって、屋内の天井面２に設置される侵入者検知用の受動型赤外線センサである。
【００２２】
パッシブセンサ１は、取付ベース３と、センサ本体４と、このセンサ本体４を覆う半球状のセンサカバー５とからなり、センサ本体４は防虫剤保持器６を備える。
センサ本体４の取付ベース３は、図３に示すように、複数の取付ネジ３１により天井面２に取り付けられる。具体的には、複数の取付ネジ３１が、図２に示すように取付ベース３の複数箇所に形成された円弧状のスリット３２の端部に連続して設けられるネジ孔に挿通された状態で、取付ベース３を回転することで、取付ネジ３１の頭と天井面２との間にスリット３２の縁部が入り込み、さらに取付ネジ３１が螺着されることで、強固に取り付けることができる。取付ベース３の裏面中央には、配線口としての開口部３３が形成される。
【００２３】
センサ本体４は、本体ベース４１と、反射ミラー４２と、ミラー支持部４３とからなる。本体ベース４１には、図示しない基板が取り付けられ、図示しない焦電素子などの電子部品が搭載される。
【００２４】
反射ミラー４２は侵入者の人体から発せられる赤外線を焦電素子に集光するための凹面鏡であって、凹面鏡であるミラー部４２ａと、このミラー部４２ａの両端を挟むように設けられた側板部４２ｂとからなり、側板部４２ｂから両側に突出した軸部４２ｃが、ミラー支持部４３を介して本体ベース４１に揺動可能に設置される。
【００２５】
さらに、本体ベース４１や反射ミラー４２を覆う半球状のセンサカバー５は、一端に備えられた既知のヒンジ機構を介して本体ベース４１に揺動可能に取り付けられる。センサカバー５は、通常使用時は図３に示すようにセンサ本体４が見えないよう閉状態となり、この状態においてセンサ本体４に設けられた可動爪部４５がセンサカバー５の爪部５１に係合し、ロックされる。一方、メンテナンス時等は可動爪部４５のアンロック操作によって可動爪部４５と爪部５１との係合が外れ、図１に示すように開状態となる。
【００２６】
防虫剤保持器６は、図４に示すように、一枚の透明な可撓性樹脂板を折り曲げてなり、本体ベース４１に貼り付けられる矩形の部分である基部６１と、この基部６１から折り返して斜めに延びる略五角形状の斜面部６２と、この斜面部６２の両端から折り返して斜面部６２の内側方向へ向かう一対の爪部６３ａ，６３ｂとからなる。斜面部６２は一般的な板状防虫剤の表面積より多少大きな表面積を有し、爪部６３ａ，６３ｂの折り返しにより一般的な板状の防虫剤を保持する。
【００２７】
防虫剤保持器６は、ミラー支持部４３の外側に取り付けられ、そのため、ミラー部４２ａの赤外線集光方向に位置することがないので、パッシブセンサ１のセンシング機能を妨げることはない。より詳細には、センサカバー５を閉めた際にもセンサカバー５に干渉しないように、基部６１と斜面部６２との接合部分である折り返し部６１ａが本体ベース４１の外縁側に向かうように、センサ本体４の本体ベース４１に取り付けられる。この際、斜面部６２は、センサ本体４の内側方向へ傾いており、そのため、センサカバー５を閉めた際にもセンサカバー５に干渉することがない。また、斜面部６２の上辺は山型に角が切り落とされ、すなわち斜面部６２が全体として略五角形状となっているため、半球状のセンサカバー５の内面に干渉しない。斜面部６２の頂点、すなわち基部６１から最も遠い部分は側板部４２ｂにほぼ接する程度の位置に配置される。爪部６３ａ，６３ｂは斜面部６２の両端から斜面部６２の中央方向であってセンサ本体４の内側方向へ折り返してなる。
【００２８】
以上のように構成されたパッシブセンサ１に防虫剤７を保持させる際は、防虫剤保持器６の斜面部６２を天井面２に対し多少垂直に近づくように弾性変形させた状態で、斜面部６２のセンサ本体４の中央側、すなわち斜面部６２と側板部４２ｂとの間に、斜面部６２に沿って防虫剤７を滑り込ませる。このようにすると、爪部６３ａ，６３ｂが、その弾性力により、防虫剤７を斜面部６２に押しつけるように作用し、防虫剤７を保持する。また、この爪部６３ａ，６３ｂの保持力が弱いような場合であっても、斜面部６２の頂点、すなわち基部６１から最も遠い部分が弾性力をもって側板部４２ｂにほぼ接する程度の地点に位置するため、斜面部６２と側板部４２ｂとの間を防虫剤７が通過することがなく、防虫剤７が滑り落ちることがない。
【００２９】
以上のように構成されたパッシブセンサ１によれば、防虫剤保持器６の斜面部６２を天井面２に対し多少垂直に近づくように弾性変形させるだけで、防虫剤７を下方向から挿入することができる。パッシブセンサ１は天井面２に取り付けられているため、このように防虫剤７を下方向から挿入できることは交換、設置の作業量を軽減し、非常に有利である。また、防虫剤７を設置した後は、防虫剤保持器６の斜面部６２から手を離すだけで、斜面部６２が弾性力により側板部４２ｂに接する程度に復元するため、防虫剤７が下方に滑り落ちることがない。また、防虫剤７は側板部４２ｂにより保持されると共に横方向へのずれが規制されるため、防虫剤７が横方向へ滑り落ちることもない。
【００３０】
以上のように構成されたパッシブセンサ１に防虫剤７を保持させた場合には、防虫剤７の害虫忌避効果により、虫の嫌う刺激を与えるため、虫はパッシブセンサ１に入り込まない。さらに、防虫剤７の害虫忌避成分が気化することにより、パッシブセンサ１の周囲に寄ろうとする虫に対しても忌避効果を発揮する。
【００３１】
本発明によれば、防虫剤７の害虫忌避効果により、パッシブセンサ１に入り込もうとする虫やパッシブセンサ１の周囲に寄ろうとする虫に対して忌避効果を発揮することができるから、隙間や開口部を塞ぐ手間やコストがかからず、誤報をより確実に防ぐことができる。
【００３２】
また、以上の防虫剤７は虫が嫌がる刺激を与えることで、虫を殺さずに防犯機器に入り込まないようにでき、また、仮に機器内に入っても殺すことがない。したがって、虫の死骸による機器の誤動作や故障を防ぐことができる。
【００３３】
以上説明したように、本発明の防犯機器は、センサ内部に防虫剤保持器を設けこの防虫剤保持器により防虫剤を保持するものであり、その主旨を逸脱しない範囲内において様々な形態で実施することができる。
【００３４】
たとえば、防虫剤保持器６の材質としては弾性樹脂のほか紙など何を用いても良く、厚さも任意である。ただし、ある程度の可塑性及び弾性を有することが好ましく、また、透明であれば、防虫剤７の有無や取り替え時期を示すインジケーターを外側から視認することが可能になり、好適である。防虫剤保持器６の形状や大きさは、他の部材となるべく干渉しない範囲で、防虫剤７の形状や大きさに合わせて設定することができる。また、センサ本体４への取付方法は両面テープや接着剤による貼り付けのほか、係合機構による係合など、様々な態様が可能である。
【００３５】
防虫剤７は害虫忌避効果を発揮できるものならば特に限定されず、例えばピレスロイド系、カーバメイト系、有機リン系等の薬剤、ジメチル−ｍ−トルアミド等の合成忌避剤、ハーブ等を利用した市販の防虫剤を使用することができる。
【図面の簡単な説明】
【００３６】
【図１】本発明の実施形態による防犯機器の一方側に防虫剤を設置した状態を示す斜視図である。
【図２】図１の状態を示す裏面図である。
【図３】図２のＡ−Ａ線に沿った断面図である。
【図４】実施形態の防虫剤保持器を示す図であり、（Ａ）は正面方向からの斜視図、（Ｂ）は平面図、（Ｃ）は上方向からの斜視図、（Ｄ）は左側面図、（Ｅ）は正面図である。
【符号の説明】
【００３７】
１      パッシブセンサ
２      天井面
３      取付ベース
４      センサ本体
５      センサカバー
６      防虫剤保持器
７      防虫剤
３１    取付ネジ
３２    スリット
３３    開口部
４１    本体ベース
４２    反射ミラー
４２ａ  ミラー部
４２ｂ  側板部
４２ｃ  軸部
４３    ミラー支持部
４５    可動爪部
５１    爪部
６１    基部
６１ａ  折り返し部
６２    斜面部
６３ａ，６３ｂ  爪部
【図１】
2010033200.tif 000003
【図２】
2010033200.tif 000004
【図３】
2010033200.tif 000005
【図４】
2010033200.tif 000006